(57)【要約】      （修正有）【課題】違う人、及び長時間鍛錬などの使用に適用でき、適用性を拡大できるエコノミータイプ胸筋鍛錬フィットネスマシンを提供する。【解決手段】底部にキャスター１０を有し、上方にはハンドル１１を備える伸縮可能な長棒体１は、その中段部位に横方向ゴム弾性体（牛筋）により、底部にペダル２０を有するサポート棒２を枢接する。座席に座り、両足でサポート棒２のペダル２０を踏み、両手で長棒体１のハンドル１１を握り、身体或いは手を対応させて後方へと力を入れ、長棒体１を下へと押す。これにより長棒体は枢接位置により回転を生じ、しかも底部のキャスター１０は地面を前方へとスライドし、同時にゴム弾性体（牛筋）のねじれを生じ、圧迫して引く力を緩め、ゴム弾性体（牛筋）の回復力により、長棒体１は反対方向へと回転する。こうして交互に力を入れることで、腰部と腹部、手部を伸ばし、胸を広げる運動の効果を達成できる。【選択図】図１
0003206665.tif 000002
【実用新案登録請求の範囲】
【請求項１】
エコノミータイプ胸筋鍛錬フィットネスマシンであって、長棒体、サポート棒及びゴム弾性体により構成され、
前記長棒体は、底部に、キャスターを有し、上方には、伸縮を調整できる棒柱であるハンドルを有し、その中段部位には、横方向ゴム弾性体により、底部にペダルを有するサポート棒を枢接することを特徴とするエコノミータイプ胸筋鍛錬フィットネスマシン。
【請求項２】
前記長棒体と前記ハンドルとの間にはさらに、回転固定台を取り付け、
固定部材を、いろいろな固定孔に挿入することで、前記長棒体と前記ハンドルとの間に形成する角度を変えられることを特徴とする請求項１に記載のエコノミータイプ胸筋鍛錬フィットネスマシン。
【請求項３】
前記サポート棒と前記長棒体との枢接部位には、調整ボタンを設置し、回すことで、前記ゴム弾性体のクリップ緊密度を調整し、前記ゴム弾性体の施力弾性の大きさを変えることを特徴とする請求項１に記載のエコノミータイプ胸筋鍛錬フィットネスマシン。
【考案の詳細な説明】
【技術分野】
【０００１】
本考案はエコノミータイプ胸筋鍛錬フィットネスマシンに関し、特に底部にキャスターを有し、上方にハンドルを備える伸縮可能な長棒体の中段部位には横方向ゴム弾性体（牛筋）により、底部にペダルを有するサポート棒を枢接し、座席に座り両足でサポート棒のペダルを踏み、両手で長棒体のハンドルを握り、身体或いは手を対応させて後方へと力を入れ、長棒体を下へと押し、これにより長棒体は枢接位置により回転を生じ、しかも底部のキャスターは地面を前方へとスライドし、同時にゴム弾性体（牛筋）のねじれを生じ、圧迫して引く力を緩め、ゴム弾性体（牛筋）の回復力により、長棒体は反対方向へと回転し、交互に力を入れることで、腰部と腹部、手部を伸ばし、胸を広げる運動の効果を達成でき、しかもゴム弾性体（牛筋）のクリップ緊密度を調整することで弾力の大きさとハンドルの角度を変えることができ、違う人、及び長時間鍛錬などの使用に適用でき、適用性を拡大できるエコノミータイプ胸筋鍛錬フィットネスマシンに関する。
【背景技術】
【０００２】
現代人の食生活は乱れており、運動場所も運動量も不足している。
それに加え、健康に対する重視と生活水準の向上もあり、こうしてフィットネスマシンが生み出された。
そして今では、フィットネスマシンの使用は日増しに広がっている。
市場で見られるフィットネスマシンは種類も形式も多様だが、腰部と腹部運動訓練用の器具は、製造コストが高く、パーツが多く、構造が複雑で、体積が大きい。
【０００３】
前記先行技術には、製造コストが高く、パーツが多く、構造が複雑で、体積が大きい欠点がある。
【考案の概要】
【考案が解決しようとする課題】
【０００４】
本考案が解決しようとする課題は、経済的なエコノミータイプ胸筋鍛錬フィットネスマシンを提供することである。
【課題を解決するための手段】
【０００５】
本考案によるエコノミータイプ胸筋鍛錬フィットネスマシンは、底部にキャスターを有し、上方にはハンドルを備える伸縮可能長棒体の中段部位に横方向ゴム弾性体（牛筋）により、底部にペダルを有するサポート棒を枢接する。
座席に座り両足でサポート棒のペダルを踏み、両手で長棒体のハンドルを握り、身体或いは手を対応させて後方へと力を入れ、長棒体を下へと押し、これにより長棒体は枢接位置により回転を生じ、しかも底部のキャスターは地面を前方へとスライドし、同時にゴム弾性体（牛筋）のねじれを生じ、圧迫して引く力を緩め、ゴム弾性体（牛筋）の回復力により、長棒体は反対方向へと回転し、交互に力を入れることで、腰部と腹部、手部を伸ばし、胸を広げる運動の効果を達成でき、しかもゴム弾性体（牛筋）のクリップ緊密度を調整することで弾力の大きさとハンドルの角度を変えることができる。
【考案の効果】
【０００６】
本考案のエコノミータイプ胸筋鍛錬フィットネスマシンは、長棒体のハンドルの角度及びゴム弾性体（牛筋）のクリップ緊密度を変えることで弾力を調整し、違った人及び長時間の鍛錬に利用できる。
【図面の簡単な説明】
【０００７】
【図１】本考案実施形態の立体図である。
【図２】本考案実施形態の立体分解図である。
【図３】本考案による回転固定台の実施形態の側視拡大模式図である。
【図４】本考案による回転固定台の実施形態の別種の側視拡大模式図である。
【図５】本考案による回転固定台の実施形態の側視分解拡大模式図である。
【図６】本考案実施形態の使用模式図である。
【図７】本考案実施形態の別種の使用模式図である。
【考案を実施するための形態】
【０００８】
図１乃至図７に示す通り、本考案は長棒体１、サポート棒２及びゴム弾性体３により構成される。
長棒体１は、底部に、キャスター１０を有し、上方には、伸縮を調整できる棒柱であるハンドル１１を有する。
その中段部位は、横方向ゴム弾性体３（牛筋）により、底部にペダル２０を有するサポート棒２を枢接する。
【０００９】
図３乃至図５に示す通り、本考案長棒体１とハンドル１１との間にはさらに、回転固定台１２を取り付け、固定部材１３を、いろいろな固定孔１４に挿入することで、長棒体１とハンドル１１との間に形成する角度を変えることができる。
また、サポート棒２と長棒体１との枢接部位には、調整ボタン２１を設置し、回すことで、ゴム弾性体３（牛筋）のクリップ緊密度を調整し、ゴム弾性体３（牛筋）の施力弾性の大きさを変えることができる。
【００１０】
実際の使用時には、使用者は座席に座り、両足でサポート棒２のペダル２０を踏み、しかも両手で長棒体１のハンドル１１を握り、身体或いは手を対応させて後方へと力を入れ、長棒体１を下へと押す。
【００１１】
図６、図７に示す通り、胸部を長棒体１のハンドル１１に押し付けることで、長棒体１は、ゴム弾性体３（牛筋）をピボットとして回転する。
しかも、底部のキャスター１０は地面を前方へとスライドし、抵抗力を減らす。
これにより、ゴム弾性体３（牛筋）のねじれを生じ、圧迫して引く力を緩め、ゴム弾性体３（牛筋）のねじれ回復力により、長棒体１は反対方向へと回転する。
こうして交互に力を入れることで、腰部と腹部、手部を伸ばし、胸を広げる運動の効果を達成できる。
【００１２】
さらに、固定部材１３を違った固定孔１４に挿入することで、長棒体１とハンドル１１との間の角度を変え、及び調整ボタン２１により調整ゴム弾性体３（牛筋）のクリップ緊密度を調整することで、ゴム弾性体３（牛筋）の施力弾性の大きさを変えることができる。
さらに、伸縮長棒体１の長さを調整し、違う人、及び長時間鍛錬などの使用に適用でき、適用性を拡大することができる。
また、構造全体がシンプルで、パーツが少なく、コンパクトで軽いため、保管や運搬を便利に迅速に行え、製造コストも低廉であるため、家庭での使用に適した経済的な運動用品である。
【００１３】
本考案の構造及び装置は、市場及び刊行物で未見で、腰部、腹部、手部のストレッチ、胸を広げる運動に適用できる他、構造が簡易で、パーツが少なく、コンパクトで軽量という効果を備えるため、実用新案登録請求の要件を満たしている。
【００１４】
前述した本考案の実施形態は本考案を限定するものではなく、よって、本考案により保護される範囲は後述される実用新案登録請求の範囲を基準とする。
【符号の説明】
【００１５】
１  長棒体
２  サポート棒
３  ゴム弾性体
１０  キャスター
１１  ハンドル
１２  回転固定台
１３  固定部材
１４  固定孔
２０  ペダル
２１  調整ボタン
【図１】
0003206665.tif 000003
【図２】
0003206665.tif 000004
【図３】
0003206665.tif 000005
【図４】
0003206665.tif 000006
【図５】
0003206665.tif 000007
【図６】
0003206665.tif 000008
【図７】
0003206665.tif 000009